【事件の表示】
　平成　７年特許願第１８５０７１号「印刷システム、情報処理装置および印刷データ送信方法」拒絶査定不服審判事件〔平成　９年　１月１４日出願公開、特開平　９−　１１５７４〕について、次のとおり審決する。
【結　論】
　本件審判の請求は、成り立たない。
【理　由】
第１　手続の経緯
　本願は、平成７年６月２９日の出願であって、平成１６年８月３日付けで拒絶理由通知がなされ、同年１０月１２日付けで手続補正がなされたが、平成１７年９月６日付けで拒絶査定がなされ、これに対し、同年１０月７日に拒絶査定不服審判の請求がなされたものである。
　当審においてこれを審理した結果、平成２０年１月２３日付けでいわゆる最後の拒絶の理由を通知したところ、審判請求人は同年３月２８日付けで意見書及び明細書についての手続補正書を提出した。
　
第２　平成２０年３月２８日付けの手続補正についての補正却下の決定
［補正の却下の決定の結論］
　平成２０年３月２８日付けの手続補正（以下「本件補正」という。）を却下する。
　
［理由］
１．本件補正の内容
　
　本件補正は特許請求の範囲を補正するものであって、本件補正により特許請求の範囲は、
　
「【請求項１】　ページ単位にオーバレイフォームが設定された印刷データを印刷装置に送信するホストコンピュータとしての情報処理装置と、前記情報処理装置から受信した印刷データに設定されている前記オーバレイフォームを登録するオーバレイ用メモリを有する印刷装置とを含む印刷システムにおいて、
　前記情報処理装置は、
　アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段と、
　前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段とを備え、
　前記印刷装置はページ毎に逐次送信されたオーバレイフォームにしたがって前記印刷データを印刷することを特徴とする印刷システム。
【請求項２】　ページ単位にオーバレイフォームが設定された印刷データを印刷装置に送信するホストコンピュータとしての情報処理装置において、
　アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段と、
　前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段とを備えることを特徴とする情報処理装置。
【請求項３】　前記印刷データはページ毎に異なるオーバレイフォームを設定可能であり、
　前記送信切替手段は、前記容量判別手段によりデータ量が記憶容量を越えると判別された場合、前記印刷データに設定されている複数種類のオーバレイフォームを、各印刷データのページ毎に繰り返し送信し、前記容量判別手段によりデータ量が記憶容量を越えないと判別された場合、前記印刷データに設定されている複数種類のオーバレイフォームを各種類のオーバレイフォーム毎に１度だけ、設定される印刷データの前にまとめて送信することを特徴とする請求項２記載の情報処理装置。
【請求項４】　ホストコンピュータとしての情報処理装置から、ページ単位にオーバレイフォームが設定された印刷データを印刷装置に送信する印刷データ送信方法において、
　アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別ステップと、
　前記容量判別ステップでデータ量が記憶容量を越えると判別された場合、前記印刷データに設定されている前記オーバレイフォームを、設定される印刷データのページ毎に逐次送信し、前記容量判別ステップでデータ量が記憶容量を越えないと判別された場合、前記印刷データに設定されている前記オーバレイフォームを、設定される印刷データの前にまとめて送信する送信切替ステップとを有することを特徴とする印刷データ送信方法。
【請求項５】　前記印刷データはページ毎に異なるオーバレイフォームを設定可能であり、
　前記送信切替ステップでは、前記容量判別ステップでデータ量が記憶容量を越えると判別された場合、前記印刷データに設定されている複数種類のオーバレイフォームを、各印刷データのページ毎に繰り返し送信し、前記容量判別ステップでデータ量が記憶容量を越えないと判別された場合、前記印刷データに設定されている複数種類のオーバレイフォームを各種類のオーバレイフォーム毎に１度だけ、設定される印刷データの前にまとめて送信することを特徴とする請求項４記載の印刷データ送信方法。」
　
から、
　
「【請求項１】　ページ単位にオーバレイフォームが設定された印刷データを印刷装置に送信するホストコンピュータとしての情報処理装置と、前記情報処理装置から受信した印刷データに設定されている前記オーバレイフォームを登録するオーバレイ用メモリを有する印刷装置とを含む印刷システムにおいて、
　前記情報処理装置は、
　アプリケーションから受け取った印刷データに対する複数の前記オーバレイフォームのデータ量と前記印刷装置のオーバレイ用メモリの記憶容量とに基づいて、前記印刷データで用いる複数のオーバレイフォームの合計データ量が前記印刷装置のオーバレイ用メモリの記憶容量を越えるか否かを判別する容量判別手段と、
　前記容量判別手段により前記合計データ量が記憶容量を越えると判別された場合、前記印刷データに設定されている前記複数のオーバレイフォームの中から使用頻度に基づいて選択されたオーバレイフォームを前記印刷装置に登録するために送信すると共に、選択されなかったオーバレイフォームを、当該選択されなかったオーバレイフォームが適用される印刷データのページ毎に逐次送信する第１送信処理と、前記容量判別手段により前記合計データ量が記憶容量を越えないと判別された場合、前記印刷データに設定されている前記オーバレイフォームを、設定される印刷データの前にまとめて送信する第２送信処理とを切り替える送信切替手段とを備え、
　前記印刷装置はページ毎に逐次送信されたオーバレイフォームにしたがって前記印刷データを印刷することを特徴とする印刷システム。
【請求項２】　ページ単位にオーバレイフォームが設定された印刷データを印刷装置に送信するホストコンピュータとしての情報処理装置において、
　アプリケーションから受け取った印刷データに対する複数の前記オーバレイフォームのデータ量と前記印刷装置のオーバレイ用メモリの記憶容量とに基づいて、前記印刷データで用いる複数のオーバレイフォームの合計データ量が前記印刷装置のオーバレイ用メモリの記憶容量を越えるか否かを判別する容量判別手段と、
　前記容量判別手段により前記合計データ量が記憶容量を越えると判別された場合、前記印刷データに設定されている前記複数のオーバレイフォームの中から使用頻度に基づいて選択されたオーバレイフォームを前記印刷装置に登録するために送信すると共に、選択されなかったオーバレイフォームを、当該選択されなかったオーバレイフォームが適用される印刷データのページ毎に逐次送信する第１送信処理と、前記容量判別手段により前記合計データ量が記憶容量を越えないと判別された場合、前記印刷データに設定されている前記オーバレイフォームを、設定される印刷データの前にまとめて送信する第２送信処理とを切り替える送信切替手段とを備えることを特徴とする情報処理装置。
【請求項３】　前記印刷データはページ毎に異なるオーバレイフォームを設定可能であり、
　前記送信切替手段は、前記容量判別手段により前記合計データ量が記憶容量を越えると判別された場合、前記印刷データに設定されている複数種類のオーバレイフォームを、各印刷データのページ毎に繰り返し送信し、前記容量判別手段により前記合計データ量が記憶容量を越えないと判別された場合、前記印刷データに設定されている複数種類のオーバレイフォームを各種類のオーバレイフォーム毎に１度だけ、設定される印刷データの前にまとめて送信することを特徴とする請求項２記載の情報処理装置。
【請求項４】　ホストコンピュータとしての情報処理装置から、ページ単位にオーバレイフォームが設定された印刷データを印刷装置に送信する印刷データ送信方法において、
　アプリケーションから受け取った印刷データに対する複数の前記オーバレイフォームのデータ量と前記印刷装置のオーバレイ用メモリの記憶容量とに基づいて、前記印刷データで用いる複数のオーバレイフォームの合計データ量が前記印刷装置のオーバレイ用メモリの記憶容量を越えるか否かを判別する容量判別ステップと、
　前記容量判別ステップで前記合計データ量が記憶容量を越えると判別された場合、前記印刷データに設定されている前記複数のオーバレイフォームの中から使用頻度に基づいて選択されたオーバレイフォームを前記印刷装置に登録するために送信すると共に、選択されなかったオーバレイフォームを、当該選択されなかったオーバレイフォームが適用される印刷データのページ毎に逐次送信する第１送信処理と、前記容量判別ステップで前記合計データ量が記憶容量を越えないと判別された場合、前記印刷データに設定されている前記オーバレイフォームを、設定される印刷データの前にまとめて送信する第２送信処理とを切り替える送信切替ステップとを有することを特徴とする印刷データ送信方法。
【請求項５】　前記印刷データはページ毎に異なるオーバレイフォームを設定可能であり、
　前記送信切替ステップでは、前記容量判別ステップで前記合計データ量が記憶容量を越えると判別された場合、前記印刷データに設定されている複数種類のオーバレイフォームを、各印刷データのページ毎に繰り返し送信し、前記容量判別ステップで前記合計データ量が記憶容量を越えないと判別された場合、前記印刷データに設定されている複数種類のオーバレイフォームを各種類のオーバレイフォーム毎に１度だけ、設定される印刷データの前にまとめて送信することを特徴とする請求項４記載の印刷データ送信方法。」
　
と補正された。
　
２．補正目的についての検討
　本件補正は、以下の補正事項Ａ，Ｂを含んでいる。
Ａ．補正前の「オーバレイフォーム」、「オーバレイフォームのデータ量」を、それぞれ「複数のオーバレイフォーム」、「複数のオーバレイフォームの合計データ量」と補正する。
Ｂ．補正前の請求項１、２、４の「前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段」を、「前記容量判別手段により前記合計データ量が記憶容量を越えると判別された場合、前記印刷データに設定されている前記複数のオーバレイフォームの中から使用頻度に基づいて選択されたオーバレイフォームを前記印刷装置に登録するために送信すると共に、選択されなかったオーバレイフォームを、当該選択されなかったオーバレイフォームが適用される印刷データのページ毎に逐次送信する第１送信処理と、前記容量判別手段により前記合計データ量が記憶容量を越えないと判別された場合、前記印刷データに設定されている前記オーバレイフォームを、設定される印刷データの前にまとめて送信する第２送信処理とを切り替える送信切替手段」と補正する。
　
補正事項Ａについて
　補正事項Ａは、補正前の「オーバレイフォーム」について、「オーバレイフォーム」が単数である場合を除外して「複数のオーバレイフォーム」と補正したものであり、かつ当該補正に伴って「オーバレイフォームのデータ量」を、「複数のオーバレイフォームの合計データ量」と補正したものと認められるから、当該補正事項Ａは平成６年改正前特許法第１７条の２第３項第２号の特許請求の範囲の減縮を目的とするものである。
　
補正事項Ｂについて
　まず、「・・・場合、・・・送信し、・・・場合、・・・・送信する送信切替手段」を、「・・・場合、・・・送信する第１送信処理と、・・・場合、・・・・送信する第２送信処理とを切り替える送信切替手段」と補正する点については、補正前後で、送信切替手段が切り替える対象が２種類の送信処理であることに変わりなく、補正後のものは、ただ前者の送信処理を「第１送信処理」と、後者の送信処理を「第２送信処理」と表現を改めたにすぎないから、補正前後の違いは表現上の差異にすぎない。
　次に、補正前の「前記印刷データに設定されている前記オーバレイフォームを、設定される印刷データのページ毎に逐次送信し」を、補正後の「前記印刷データに設定されている前記複数のオーバレイフォームの中から使用頻度に基づいて選択されたオーバレイフォームを前記印刷装置に登録するために送信すると共に、選択されなかったオーバレイフォームを、当該選択されなかったオーバレイフォームが適用される印刷データのページ毎に逐次送信する第１送信処理と」と補正して、補正後において、「前記印刷データに設定されている前記複数のオーバレイフォームの中から使用頻度に基づいて選択されたオーバレイフォームを前記印刷装置に登録するために送信」する処理（以下「使用頻度に基づいた登録のための送信処理」という。）を追加する点について検討する。
　補正前の「前記印刷データに設定されている前記オーバレイフォームを、設定される印刷データのページ毎に逐次送信」する処理（以下「逐次送信処理」という。）には、オーバーレイフォームを印刷装置に登録するために送信する内容は含まれていないし、また補正前の請求項１に係る発明自体においても、「オーバレイフォームを登録するオーバレイ用メモリ」と「登録」に関する記載はあるものの、この記載は、単にオーバレイ用メモリがオーバレイフォームを登録するメモリであることを特定するにすぎず、オーバーレイフォームを登録する処理に関する記載でないことは明らかである。
　そうすると、上記「使用頻度に基づいた登録のための送信処理」を追加することは、前記補正前の「逐次送信処理」とは別の処理を追加することにあたり、その結果、補正後の「第１送信処理」の技術内容は、上記補正前の「逐次送信処理」の技術内容から変更されたものとなっている。
　すなわち、当該補正事項Ｂは、補正前の発明を特定するために必要な事項である「送信切替手段」を限定するものではない。
　
　さらにいえば、本願の出願当初の明細書（以下「本願当初明細書」という。）の【実施例】の中の「実施例」（以下「第１実施例」という。）として記載された「図４はホストコンピュータ側でオーバレイを処理して印刷する方法を示す説明図である。プリンタ１２０の内蔵メモリの容量を越え、オーバレイ２が文書２および文書３に使用されている場合、ホストコンピュータ１００が転送するデータは、オーバレイ２、文書ページ２、オーバレイ２、文書ページ３の順序となる。」（【００２６】）の記載及び図４からみて、当該「第１実施例」には、上記「逐次送信処理」について記載されていると認められるが、上記「使用頻度に基づいた登録のための送信処理」については、上記第１実施例を記載した本願明細書の【００１６】〜【００２７】の第５行目には何ら記載がない上、当該「第１実施例」の「認識した全ての種類のオーバレイのトータルデータ量がプリンタ１２０に内蔵されているオーバレイ用メモリ数より多いか否かを判別し（ステップＳ２０７）、多い場合にはプリンタにオーバレイを登録せず（ステップＳ２０９）、ホストコンピュータ側でオーバレイデータを展開して印刷するように設定する。」（【００２４】）の記載には、オーバレイフォームの合計データ量がオーバレイ用メモリの記憶容量を超えると判別された場合、オーバレイフォームの登録さえ行わないことが示されているから、補正後の「前記容量判別手段により前記合計データ量が記憶容量を越えると判別された場合、前記印刷データに設定されている前記複数のオーバレイフォームの中から使用頻度に基づいて選択されたオーバレイフォームを前記印刷装置に登録するために送信する（「使用頻度に基づいた登録のための送信処理」）と共に、選択されなかったオーバレイフォームを、当該選択されなかったオーバレイフォームが適用される印刷データのページ毎に逐次送信する（「使用頻度に基づいた登録のための送信処理」）第１送信処理」は、「第１実施例」と対応するものではない。
　他方、本願当初明細書の【実施例】の中の「第２実施例」として記載された「ステップＳ３０１でオーバレイデータが内蔵メモリであるＲＡＭ１２７の容量を越えている場合、・・・使用頻度順にオーバレイデータを内蔵メモリであるＲＡＭ１２７の容量を越えない範囲でカウントし（ステップＳ３０４〜Ｓ３０７）、選択したオーバレイをプリンタに登録して（ステップＳ３０８）印刷処理に移行する。・・・このように、内蔵メモリが圧迫されて全てのオーバレイが登録できない場合、最も多用されているオーバレイを優先的に登録することができる。」（【００３０】−【００３２】）の記載及び図３の記載からみて、当該「第２実施例」には、上記「使用頻度に基づいた登録のための送信処理」について記載されていると認められるが、上記「逐次送信処理」については、上記第２実施例を記載した本願明細書の【００２７】の第６行目〜【００３２】には何ら記載がないから、上記補正後の「第１送信処理」は、「第２実施例」に対応したものでもない。
　さらに、本願当初明細書の特許請求の範囲をみると、独立請求項である請求項１，３−５には、「逐次送信処理」に関する特定があるのみであって、「使用頻度に基づいた登録のための送信処理」に関する特定は無く、また同じく独立請求項である請求項２には、「使用頻度に基づいた登録のための送信処理」に関する特定があるのみであって、「逐次送信処理」に関する特定は無いから、「逐次送信処理」と「使用頻度に基づいた登録のための送信処理」とを共に行う送信処理を行う発明自体まったく意識されていないと解さざるをえない。
　そうすると、本願当初明細書又は本願の出願当初の図面のすべての記載を総合しても、「逐次送信処理」と「使用頻度に基づいた登録のための送信処理」とを共に行う送信処理は新たな技術的事項を導入するものと解さざるを得ないから、補正事項Ｂは、本願当初明細書又は本願の出願当初の図面に記載した事項の範囲内においてしたものとは認められない。
　
　したがって、本件補正は、特許請求の範囲の減縮を目的とする補正に該当せず、平成６年改正前特許法第１７条の２第３項第２号に該当しない。また、本件補正は、請求項の削除、誤記の訂正、明りょうでない記載の釈明を目的とする補正にも該当せず、同法第１７条の２第３項第１号、第３号、及び第４号にも該当しない。
　さらに、本件補正は、本願の出願当初の明細書又は図面に記載した事項の範囲内においてなされたものとはいえないから、平成６年改正前特許法第１７条の２第２項で準用する同法第１７条第２項に規定する要件を満たしていない。
　
［補正の却下の決定のむすび］
　以上のとおり、本件補正は、平成６年改正前特許法第１７条の２第３項の規定、及び同法１７条の２第２項で準用する同法第１７条第２項の規定に違反するものであり、特許法第１５９条第１項の規定において読み替えて準用する同法第５３条第１項の規定により却下されるべきものである。
　
第３　本件審判請求についての判断
１．本願発明の認定
　本件補正が却下されたから、本願の請求項１〜５に係る発明は、平成１６年１０月１２日付け手続補正により補正された明細書の特許請求の範囲請求項１〜５に記載された事項により特定されるものと認めることができ、そのうち、請求項１に係る発明（以下「本願発明」という。）は、補正前のものとして上記「第２．［理由］１．」に記載のとおりのものである。
　
２．引用刊行物
　当審の拒絶の理由に引用された特開平５−２２１０３７号公報（以下、「刊行物１」という。）には、以下の記載が図示とともにある。　
　
ａ．「図５は実施例のレーザビームプリンタ（以下、ＬＢＰと略す）の内部構造を示す断面図で、このＬＢＰは不図示のデータ源から文字パターンの登録や提携書式（フォームデータ９）などの登録が行える。図において、１００はＬＢＰ本体であり、外部に接続されているホストコンピュータから供給される印刷情報（文字コード等）やフォーム情報或いはマクロ命令などを入力して記憶するとともに、それらの情報に従って対応する文字パターンやフォームパターンなどを作成し、記録媒体である記録紙上に像を形成する。」（【００１０】）
ｂ．「図１は、上記構造の本実施例にかかる印刷装置のブロツク構成図である。図示において、１は文字コードデータや各種制御命令などからなる印刷情報を出力するホストコンピュータ、２は実施例の印刷装置本体である。３は装置全体の制御を司るＣＰＵ、４はＣＰＵ３のワークエリア、各種情報（後述するフォームデータ等）を一時的に格納したり、ホストコンピュータ１より送られてきた印刷情報を基づくドットタイプの印刷情報（文字パターンなど）を展開する出力用バッファ等に使用されるＲＡＭである。５は印刷に係る一連の処理手順（プログラム）を記憶しているＲＯＭであり、図２に示すフローチャートにかかるプログラムも格納されている。６は２次記憶装置であって、例えばハードディスク装置や光磁気ディスク装置等である。」（【００１１】）
ｃ．「図３に実施例におけるＲＡＭ４の使用状況を示す。図示の如く、実施例のＲＡＭ４は、ＣＰＵ３のワークエリアとして使用される領域、各種文字セット（例えば明朝体とかゴシック体等、更には各々の文字サイズ毎のデータ）を記憶している領域、出力用ドットデータを展開する出力バッファの他に、帳票等のパターン（或いはそのパターンを描画するためのデータ）を複数個記憶しているフォームデータエリア及び個々のフォームデータの状態情報をテーブルとして記憶しているフォームテーブルエリアがある。尚、ここでフォームとは先に示したように例えば帳票であって、ホストコンピュータ１は自身が出力する文字列データをどのフォームに合成して印刷するかを指示する所定の制御コードを出力する。実施例の印刷装置は、その指定されたフォームのフォームデータを出力バッファに展開すると共に、入力した文字コードに対応する文字パターンを生成し、それを出力バッファに展開し、所定量（１ページ或いは１行分のイメージ）の展開が済んだら、その出力バッファの内容を印刷部７に出力し、実際に印刷を行う。」（【００１３】）
ｄ．「上記構成及びＲＡＭ４の使用状態において、実施例では、ホストコンピュータ１から送られてくるデータを処理している最中、ＲＡＭ４のメモリが足りなくなったら、その時点でＲＡＭ４に常駐しているデータを２次記憶装置６に一旦待避させ、ＲＡＭ４の使用可能領域を実質的に拡大しようとするものである。具体的には、フォームデータエリア内のフォームデータを２次記憶装置６に転送し、待避させる。」（【００１６】）
ｅ．「ステップＳ１では、メモリフルになったか否かを判断する。メモリフルになっていないと判断したら、ステップＳ６により本ルーチンを抜け、メインルーチン（図示せず）に復帰する。また、メモリフルになったと判断したら、ステップＳ２に進み、所定の条件を満たす（２次記憶装置６に待避しても構わない）フォームデータを探す。そして、ステップＳ３において、そのデータが捜し出せたか否かを判断する。捜し出せたら、そのデータを２次記憶装置６に転送し、且つそのデータが転送されていることを示すフラグを“オン”にセットし、ステップＳ１に戻る。
　また、その後も何度かメモリフルになって、ついには転送づべきデータがなくなったら処理はステップＳ３からステップＳ５に進み、メモリがフルになった場合の処理を行う。
　尚、上記処理を行って、ホストコンピュータ１からの１つの印刷データの出力が終了すると、待避しておいたデータを再びメモリ上にロードし、該当するフラグを“オフ”にリセットする。
　以上説明したように本実施例によれば、メモリフルが発生した場合、すでにメモリ上に存在するデータのうちある特定の条件を満たすものを２次記憶装置へ転送することにより、そのメモリフル状態を回避できるようになる。」（【００１９】−【００２２】）
ｆ．「更に、２値記憶装置に転送する条件として、・・・また、”（メモリ上の登録データのサイズ≧これから登録しようとするデータのサイズ）であるもの。”を満足する場合としてもよい。すなわち、メモリ上の登録データを管理する情報テーブルに、各登録データ自身のデータ量を記憶しておき、新たにメモリ上に置こうとしているデータのデータ量よりも大きいか等しいもののうち最少のものを転送する。１回の転送で必要量だけ確実にメモリを確保できるので、２次記憶装置とメモリ間のデータの転送量を条件１、２よりも少なくすることが可能である。また、メモリの遊びを少なくすることができるので、メモリの使用効率が向上する。ただし、新たなデータがメモリをどれだけ必要とするのかということを知る必要があるので、登録データのようにあらかじめデータサイズの分かっているものに限られる。」（【００２４】−【００２５】）
　
　ここで、上記記載ｆの「これから登録しようとするデータ」が、「メモリ上の登録データを管理する情報テーブル」に基づいて登録データを２値記憶装置に転送することにより空いたエリアに記憶されること、登録データのようにあらかじめデータサイズの分かっているデータであること、及び図４のフォームテーブルが、登録された各フォームデータのサイズを有することからみて、上記「これから登録しようとするデータ」がフォームデータであることが示唆されているといえる。
　そして、フォームデータエリアに新たなフォームデータを登録する場合、上記記載ｅの「メモリフルになっていないと判断」されれば、待避処理を行わずに、フォームデータを登録するのは当然である。
　印刷装置本体２が備えるＣＰＵ３が、ＲＯＭ５に格納された図２に示されたフローチャートにかかるプログラムを実行していることから、図２のフローチャートは印刷装置本体２において実行されているといえる。
　上記記載ａ，ｂ、及び図１より、ホストコンピュータ１、データ源、印刷装置本体２及び印刷部７は協働して印刷を行うから、これらが印刷システムを構成していると言って差し支えはない。
　記載ｅの「上記処理を行って、ホストコンピュータ１からの１つの印刷データの出力が終了すると、待避しておいたデータを再びメモリ上にロードし」からは、１つの印刷データを印刷する都度、フォームデータの登録処理が可能なことが理解できる。
　また、記載ｃから、フォームデータは、印刷装置本体２内のＲＡＭ４のフォームデータエリアに記憶され、文字コードデータと出力バッファで合成され印刷部７に出力されて印刷されるのだから、ホストコンピュータ１から印刷情報（文字列データ）を出力する前に、予め前記フォームデータエリアに登録されていることは明らかである。
　記載ｃの、「帳票等のパターン（或いはそのパターンを描画するためのデータ）を複数個記憶しているフォームデータエリア」、「実施例の印刷装置は、その指定されたフォームのフォームデータを出力バッファに展開すると共に、入力した文字コードに対応する文字パターンを生成し、それを出力バッファに展開し、所定量（１ページ或いは１行分のイメージ）の展開が済んだら、その出力バッファの内容を印刷部７に出力し、実際に印刷を行う。」、及び上記記載ａの「１００はＬＢＰ本体であり、外部に接続されているホストコンピュータから供給される印刷情報（文字コード等）やフォーム情報或いはマクロ命令などを入力して記憶するとともに、それらの情報に従って対応する文字パターンやフォームパターンなどを作成し、記録媒体である記録紙上に像を形成する。」から、ＲＡＭ４に記憶される文字データ、フォームデータが、それぞれ文字コードデータに対応した文字パターンデータ、フォームに対応したフォームパターンデータであることが理解できる。
　
　したがって、上記記載ａ〜ｆを含む刊行物１には、次の発明（以下「引用発明」という。）が記載されていると認められる。
「文字コードデータや該文字コードデータをどのフォームに合成して印刷するかを指示する制御コード等からなる印刷データを印刷装置本体２に出力するホストコンピュータ１と、データ源と、データ源から供給されるフォームパターンデータを登録するためのフォームデータエリアを備えたＲＡＭ４を有する印刷装置本体２及び印刷部７とを含む印刷システムにおいて、
　前記印刷装置本体２は、ホストコンピュータ１から１つの印刷データを印刷する都度、フォームパターンデータの登録処理が可能であり、前記１つの印刷データの印刷が終了すると、待避しておいたフォームパターンデータを再びＲＡＭ４のフォームデータエリアにロードするものであって、
　ホストコンピュータ１から印刷データを出力する前に、フォームデータエリアに新たなフォームパターンデータを登録する場合、登録するとメモリフルになるか否かを判断し、
　メモリフルになっていないと判断した場合には、上記新たなフォームパターンデータを登録し、
　メモリフルとなると判断した場合には、前記フォームデータエリアに登録されているフォームパターンデータを２次記憶装置６に待避させてから上記新たなフォームパターンデータを登録する手段と、
　ホストコンピュータ１から入力した前記制御コードによって指定されたフォームのフォームパターンデータを前記フォームデータエリアから読み出し、出力バッファに展開すると共に、同じく入力した文字コードデータに対応する文字パターンを生成し、それを出力バッファに展開し、１ページの展開が済んだら、その出力バッファの内容を印刷部７に出力する手段とを有する印刷システム。」
　
　当審の拒絶の理由に引用された特開平７−８９１５３号公報（以下、「刊行物２」という。）には、以下の記載が図示とともにある。　
　
ｇ．「【作用】印刷しようとするデータを所定のアプリケーションから受け取ったプリンタドライバ２６は、アプリケーションがダウンロードフォントデータの送信を要求しているか否かを確認する。送信要求があった場合、プリンタドライバ２６の問い合わせ手段２６Ａは、ホストインタフェース１８を介してユーザメモリ１４の空きサイズを問い合わせる。一方、この問い合わせに対し、プリンタ制御部はユーザメモリの残容量を算出した上、ホストインタフェース部１８に出力する。
　ホストコンピュータ２０のプリンタインタフェース２８は、プリンタ装置１０から使用可能なユーザメモリの残容量情報を受け取ると、そのサイズをプリンタドライバ部２に引き渡す。プリンタドライバ部２６の容量比較手段２６Ｂは、受け取ったユーザメモリの残容量とダウンロードフォントデータのサイズとを比較して、ダウンロードフォントデータのサイズがユーザメモリのサイズより小さい場合、ダウンロードフォントデータをプリンタ装置１０へ送信する。逆に、フォントデータのサイズがユーザメモリのサイズを越えた場合、プリンタドライバ部２６のフォント展開手段２６Ｃは、第二のフォント展開部２１を起動して、第二のフォント記憶部２３に格納された当該ダウンロードフォント２２Ａをビットマップフォントに展開する。フォント展開手段２６Ｃは当該ビットマップフォントを印刷データ編集手段２６Ｄに出力し、印刷データ編集手段２６Ｃは、印刷データにこのビットマップフォントデータ付記する。
　プリンタドライバ２６は、アプリケーションから受け取ったデータをプリンタ装置１０の描画部が解釈可能な印刷データに変更して、さらに、フォントデータのサイズがユーザメモリのサイズを越えていた場合、印刷データ編集手段２６Ｄは、フォント展開手段２６Ｃが展開したビットマップフォントを合成するよう印刷データを編集する。プリンタドライバ２６は、この印刷データをプリンタインタフェース１８を介してプリンタ装置１０に出力する。
　プリンタ装置１０のホストインタフェース１８で受信した印刷データは、描画部１６によって、第一のフォント展開部１１が生成したビットマップフォント又は第二のフォント展開部が生成したビットマップフォントを用いてラスタイメージデータに展開される。この描画部の印刷データの展開によって生じたラスタイメージデータは、描画メモリ１７に格納され、さらに、印刷部１５はこのラスタイメージデータを印刷出力する。
【実施例】次に本発明について図面を参照して説明する。
　図１及び図２は本発明の一実施例のプリンタシステムのブロック図であり、プリンタシステムは、プリンタ装置１０と、このプリンタ装置１０と双方向通信インタフェースで接続されたホストコンピュータ２０とを備えている。」（【０００９】−【００１４】）
ｈ．「第二のフォント展開部２１は、フォントデータを、そのフォントデータを使用したいデバイスが求める形式に変換して出力する。ここでは、そのデバイスは、ホストコンピュータに併設された表示手段であり、又はプリンタ装置である。」（【００２２】）
ｉ．「容量比較手段２６Ｂは、使用要求のあったダウンロードフォントの容量を合計し、この合計したサイズと、ユーザメモリの残容量とを比較する。ダウンロードフォントの容量がユーザメモリ１４の残容量を上回るとき、容量比較手段２６Ｂは、フォント展開手段２６Ｃを起動し、逆に、ダウンロードフォントの容量がユーザメモリ１４を下回るときは通常のダウンロードフォント登録工程に処理を移行する。」（【００２７】）
ｊ．「印刷データ編集手段２６Ｄは、描画部１６が解釈可能な状態に変換された印刷データの、フォントに関わる部分を編集する。この編集は、ダウンロードフォントを指定するコードでの表現を、実際のビットマップフォントデータへの変更であり、印刷データのページ毎にこのページが使用するダウンロードフォントのビットマップデータを付記する。プリンタドライバ２６は、この様に編集した印刷データを、インタフェースを介してプリンタ装置２０に出力する。」（【００２９】）
ｋ．「第一のフォント展開部１１は、印刷データに指定されたフォントをビットマップフォントデータにビットマップ展開する。このビットマップ展開時に必要なフォントデータは第一のフォント記憶手段３又はユーザメモリ１４から供給される。」（【００３１】）
ｌ．「印刷データに直接ビットマップフォントが含まれている場合、描画部１６は当該ビットマップフォントを用いて印刷データの展開を行う。」（【００３２】）
　
　記載ｋより、ホストコンピュータ２０から出力された印刷データに指定されたフォントは、プリンタ装置１０のユーザメモリ１４から供給されるから、このフォントがホストコンピュータ２０から印刷データが出力される前に既に登録されていることは明らかである。
　そうすると、上記記載ｇ〜ｌを含む刊行物２には、次の技術的事項が記載されていると認められる。
　
「プリンタ装置１０と、このプリンタ装置１０と双方向通信インタフェースで接続されたホストコンピュータ２０とを備えたプリンタシステムにおいて、
　ホストコンピュータ２０のプリンタドライバ２６において、アプリケーションから受け取った印刷データの外字フォントの使用要求があったとき、当該使用要求があった外字フォントデータの容量を合計し、この合計した容量と、プリンタ装置１０にあるユーザメモリ１４の残容量とを比較し、 
 　前記合計した容量がユーザメモリの残容量を上回ると、プリンタドライバ２６においてこの外字フォントデータをプリンタ装置１０が求める形式に変換し、印刷データのページ毎に付記してからプリンタ装置１０に出力し、下回ると、印刷データをプリンタ装置１０に出力する前に外字フォントデータをプリンタ装置１に出力し前記ユーザメモリに登録し、
　プリンタ装置では、印刷データに指定された外字フォントの外字フォントデータがユーザメモリ１４にある場合は、その外字フォントデータを、ユーザメモリ１４から読み出して印刷すると共に、印刷データに外字フォントデータが付記されている場合は、当該外字フォントデータを用いて印刷データをページ毎に展開して印刷するプリンタシステム。」
３．対比
　引用発明の「ホストコンピュータ１」、「印刷装置本体２及び印刷部７」、「フォームデータエリアを備えたＲＡＭ４」は、本願発明の「ホストコンピュータとしての情報処理装置」、「印刷装置」、「オーバレイ用メモリ」に相当する。
　本願発明の「オーバレイフォームのデータ量」の記載からみて、「オーバレイフォーム」はデータであるから、引用発明の「文字パターンデータ」と合成されて印刷される「フォームパターンデータ」は、本願発明の「オーバレイフォーム」に相当する。
　引用発明の「文字コードデータや該文字コードデータをどのフォームに合成して印刷するかを指示する制御コード等からなる印刷データ」は、「１ページの展開が済んだら」「印刷部７に出力」され印刷されることから、本願発明の「ページ単位にオーバレイフォームが設定された印刷データ」と、「ページ単位にオーバレイフォームと関係付けられた印刷データ」である点で共通している。
　本願発明の「前記印刷データに設定されている前記オーバレイフォームを、設定される印刷データのページ毎に逐次送信し」は、本願明細書の「印刷データの各ページのオーバレイ設定を印刷前に確認し、印刷装置の記憶手段の容量を越えてしまう場合、各ページ毎にオーバレイフォームを展開して逐次、転送するオーバレイ印刷方法に切り替えることができ、記憶手段がメモリオーバフローエラーになる障害を防ぐことができる。」（【００３３】）の記載を参照すると、オーバーレイ用メモリのオーバーフロー防止のための処理と言える。
　そうすると、引用発明の「前記印刷装置本体２は、ホストコンピュータ１から１つの印刷データを印刷する都度、フォームパターンデータの登録処理が可能であり、前記１つの印刷データの印刷が終了すると、待避しておいたフォームパターンデータを再びＲＡＭ４のフォームデータエリアにロードするものであって、
　ホストコンピュータ１から印刷データを出力する前に、フォームデータエリアに新たなフォームパターンデータを登録する場合、登録するとメモリフルになるか否かを判断し、
　メモリフルになっていないと判断した場合には、上記新たなフォームパターンデータを登録し、
　メモリフルとなると判断した場合には、前記フォームデータエリアに登録されているフォームパターンデータを２次記憶装置６に待避させてから上記新たなフォームパターンデータを登録する手段」は、本願発明の「前記情報処理装置は、
　アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段と、
　前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段」と、「印刷データに対するオーバレイフォームのデータ量が印刷装置のオーバレイ用メモリの記憶容量を越えるか否かを判別し、データ量が記憶容量を越えると判別された場合、オーバーレイ用メモリのオーバーフロー（メモリフル）防止のための処理を行い、データ量が記憶容量を越えないと判別された場合、上記オーバーフロー（メモリフル）防止のための処理以外の処理を行う処理切替手段」である点で共通している。
　
＜一致点＞
「オーバレイフォームが関係付けられた印刷データを印刷装置に送信するホストコンピュータとしての情報処理装置と、前記情報処理装置から受信した印刷データに関係付けられている前記オーバレイフォームを登録するオーバレイ用メモリを有する印刷装置とを含む印刷システムにおいて、
　印刷データに対するオーバレイフォームのデータ量が印刷装置のオーバレイ用メモリの記憶容量を越えるか否かを判別し、データ量が記憶容量を越えると判別された場合、オーバーレイ用メモリのオーバーフロー防止のための処理を行い、データ量が記憶容量を越えないと判別された場合、上記オーバーフロー防止のための処理以外の処理を行う処理切替手段を備え、
　前記印刷装置はオーバレイフォームにしたがって前記印刷データを印刷する印刷システム。」
　
＜相違点１＞
　本願発明の「印刷データ」が、「ページ単位にオーバレイフォームが設定された印刷データ」であって、前記オーバレイフォーム及び印刷データを、情報処理装置が印刷装置に送信するのに対して、引用発明の「印刷データ」は、オーバレイフォームが関係付けられた印刷データであって、該印刷データは、情報処理装置が印刷装置に送信するも、前記オーバレイフォームは、情報処理装置とは別のデータ源が印刷装置に送信している点。
　
＜相違点２＞
　「印刷データに対するオーバレイフォームのデータ量が印刷装置のオーバレイ用メモリの記憶容量を越えるか否かを判別し、データ量が記憶容量を越えると判別された場合、オーバーレイ用メモリのオーバーフロー防止のための処理を行い、データ量が記憶容量を越えないと判別された場合、上記オーバーフロー防止のための処理以外の処理を行う処理切替手段」が、
　本願発明では、「前記情報処理装置」が備える「アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段」と「前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段」であるのに対して、引用発明では、このような特定を有しない点。
　
＜相違点３＞
　印刷装置が、本願発明では「ページ毎に逐次送信されたオーバレイフォームにしたがって印刷データを印刷する」のに対して、引用発明ではそのような特定を有しない点。
　
４．判断
＜相違点１−３＞について
　ホストコンピュータが、オーバレイフォームが設定された印刷データを備え、当該印刷データ及びオーバレイフォームをプリンタに出力してオーバーレイ印刷をすることはオーバレイ印刷として普通に行われる態様である（特開平７−４７７４１号公報（【０００２】、【００１１】−【００１３】、【００１８】、【図１】、【図２】）、特開平６−１２４１７６号公報（【０００２】、【０００３】、【００１３】、【図１】）、特開平６−１０６８１１号公報（【０００１】、【００２１】、【００２２】、【図２】）、特開昭６４−２５２３５号公報（第１頁）等参照。）から、引用発明１の印刷データをオーバレイフォームが設定された印刷データとし、オーバレイフォームを、データ源からではなく情報処理装置から印刷装置に送信するように構成することはオーバレイ印刷として通常の態様を採用することであり格別なことではない。
　よって、上記相違点１に係る本願発明の構成は格別なものではない。
　
　刊行物２には、「ホストコンピュータとプリンタ装置とからなる印刷システムにおいて、ホストコンピュータで、アプリケーションから受け取った印刷データに対する”プリンタ装置に登録可能なデータ”（以下「登録データ」という。）のデータ量とプリンタ装置の登録データ用メモリの記憶容量とに基づいて、前記印刷データで用いる前記登録データのデータ量が前記プリンタ装置の登録データ用メモリの記憶容量を越えるか否かを判別し、前記データ量が記憶容量を越えると判別された場合、前記印刷データに設定されている前記登録データを、設定される印刷データのページ毎に逐次送信し、前記データ量が記憶容量を越えないと判別された場合、前記印刷データに設定されている前記登録データを、設定される印刷データの前にまとめて送信する送信切替処理を行うことで、登録データ用メモリのオーバーフローを防止する」技術が開示されているといえる。
　
　そうすると、引用発明が、印刷データに関連付けられているオーバレイフォームを印刷装置のオーバレイ用メモリに登録する場合の当該オーバレイ用メモリのオーバーフローを防止するものであること、並びに上述したようにオーバレイフォームを印刷データに設定し、データ源からではなく情報処理装置から印刷装置に送信することがオーバレイ印刷として通常の態様であることを考慮すれば、引用発明のオーバレイ用メモリのオーバーフローを防止する目的で、上記刊行物２に記載された、印刷データに設定されている登録データを印刷装置の登録データ用メモリに登録する場合の当該登録データ用メモリのオーバーフローを防止する技術を採用することは想到容易である。
　そしてこの際、引用発明において「印刷データに対するオーバレイフォームのデータ量が印刷装置のオーバレイ用メモリの記憶容量を越えるか否かを判別」するには、「印刷データに対するオーバレイフォームのデータ量と印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段」を備えることとなるが、オーバレイフォームが設定された印刷データ（例えば、表を含んだ印刷データ）をホストコンピュータ上で実行されるワープロや表計算ソフト等のアプリケーションで作成することは通常のことであるから、オーバレイフォームが設定された印刷データをアプリケーションから受け取るようにすることは通常の態様であり格別のことではない。
　また引用発明の「オーバーレイ用メモリのオーバーフロー防止のための処理」は、「印刷データに設定されているオーバレイフォームを、設定される印刷データのページ毎に逐次送信」する処理となり、引用発明の「上記オーバーフロー防止のための処理以外の処理」は、「印刷データに設定されているオーバレイフォームを、設定される印刷データの前にまとめて送信」する処理となり、すなわち「処理切替手段」は「送信切替手段」となる。
　さらにこれら「容量判別手段」と「送信切替手段」とを、情報処理装置が備えることになる。
　してみるに、引用発明の「印刷データに対するオーバレイフォームのデータ量が印刷装置のオーバレイ用メモリの記憶容量を越えるか否かを判別し、データ量が記憶容量を越えると判別された場合、オーバーレイ用メモリのオーバーフロー防止のための処理を行い、データ量が記憶容量を越えないと判別された場合、上記オーバーフロー防止のための処理以外の処理を行う処理切替手段」は、情報処理装置が備える「アプリケーションから受け取った印刷データに対する前記オーバレイフォームのデータ量と前記印刷装置のオーバレイ用メモリの記憶容量とに基づいて、前記印刷データで用いるオーバレイフォームのデータ量が前記印刷装置のオーバレイ用メモリの記憶容量を越えるか否かを判別する容量判別手段と、
　前記容量判別手段によりデータ量が記憶容量を越えると判別された場合、前記印刷データに設定されている前記オーバレイフォームを、設定される印刷データのページ毎に逐次送信し、前記容量判別手段によりデータ量が記憶容量を越えないと判別された場合、前記印刷データに設定されている前記オーバレイフォームを、設定される印刷データの前にまとめて送信する送信切替手段」、即ち相違点２に係る本願発明の構成となる。
　
　さらにこの際、印刷データに設定されているオーバレイフォームが、設定される印刷データのページ毎に情報処理装置から逐次送信されてくる以上、「オーバレイフォームにしたがって印刷データを印刷する」印刷装置は、ページ毎に逐次送信されたオーバレイフォームにしたがって前記印刷データを印刷する機能を備える必要があるから、相違点３に係る本願発明の構成は当然の設計事項である。
　
　したがって、引用発明１及び刊行物２の記載並びに技術常識から、上記相違点１−３に係る本願発明の構成を採用することは当業者が容易になし得たことである。
　
５．むすび
　したがって、本願発明は、引用発明１及び刊行物２の記載並びに技術常識に基づいて、当業者が容易に発明をすることができたものであるから、特許法第２９条第２項の規定により特許を受けることができない。
　
第４　むすび
　以上のとおり、本件補正は却下されなければならず、本願発明が特許を受けることができない以上、本願出願のその余の請求項に係る発明について検討するまでもなく、本願は拒絶を免れない。
　よって、結論のとおり審決する。